(57)【要約】【課題】扉を必要とせずかつ、通常の視線では使用中の姿を視認することができない空間を幼児用のトイレブースで実現し、幼児のプライバシーを保護するとともに、必用時には保母などの管理者が必要時に簡単にブース内を確認できる幼児用トイレブースを得る。【解決手段】ブース出入口４における出入口間口方向をブース周囲から便器２側への便器方向Ａとし、ブース出入口４を間にして対向するブース出入口４側の壁体３それぞれを出入口間口方向と交差する方向に延長して、互い違い状に配置されたブース出入口４側の壁体３により、ブース周囲からブース出入口４を介した便器方向Ａへの目視を不能にする遮蔽部５を形成し、かつ、ブース出入口４を扉などの閉鎖物が位置しない非閉鎖状態に形成した。【選択図】    図１
2005200889.tif 000002
【特許請求の範囲】
【請求項１】
便器を配した空間の四方に壁体を配置したトイレブースであって、ブース出入口はブース周囲から前記便器側への便器方向を出入口間口方向とし、ブース出入口を間にして対向するブース出入口側の壁体それぞれを出入口間口方向と交差する方向に延長して、互い違い状に配置されたブース出入口側の壁体により、ブース周囲からブース出入口を介した便器方向への目視を不能にする遮蔽部を形成し、かつ、ブース出入口を扉などの閉鎖物が位置しない非閉鎖状態に形成したことを特徴とする幼児用トイレブース。
【請求項２】
上記壁体の一部もしくは全部の高さが、３００ｍｍ以上３０００ｍｍ以下である請求項１に記載の幼児用トイレブース。
【請求項３】
上記ブース出入口の間口方向の間隔が、１００ｍｍ以上１５００ｍｍ以下である請求項１または２に記載の幼児用トイレブース。
【請求項４】
請求項１から３の何れか一項の幼児用トイレブースを並設し、トイレブース間に位置する壁体を、該壁体の両側のトイレブースが共有することを特徴とする幼児用トイレ施設。
【発明の詳細な説明】
【技術分野】
【０００１】
本発明は、幼稚園、保育園、保育所、託児所等に設置される幼児用トイレブース及び幼児用トイレ施設に関するものである。
【背景技術】
【０００２】
共用トイレにおいて大便器があるトイレブースそれぞれは建物躯体壁やパネルなどの壁体を周囲に配置するとともに、ブース出入口に使用者が開け閉めできる扉を配置することで必用時に閉じられた空間が得られるようにしているのが一般的であるが、車椅子使用者も使用可能とするために、スライド壁を用いてブース内空間の拡大が行なえ、内部に車椅子で進入できるようにした工夫が提案されている（例えば、特許文献１参照）。
【０００３】
一方、車椅子使用者専用のトイレブースにおいては、使用者が降りた車椅子を近くに置くことができるようにブース内空間を大きくするとともに、介添者がトイレブース内の様子を確認し易くするために、ブース出入口に扉を設けない工夫も提案されている（例えば、特許文献２参照）。このようなトイレブース内の様子を確認するという同様の目的から、一般の幼稚園、保育園、保育所、託児所などの幼児用トイレブースにおいてもブース出入口に扉を取り付けずに、監督者が中の様子を確認し易くすることがある。
【特許文献１】特開平１０−１３１５２６号公報
【特許文献２】特開２０００−２７４７０号公報
【発明の開示】
【発明が解決しようとする課題】
【０００４】
しかしながら、上述したように幼稚園などの幼児用のトイレブースでブース出入口に扉を設けないようにした場合、幼児がトイレを使用中の状況を不特定多数の人が自由に視認できることとなり、幼児に対して何のプライバシー保護もなされないという問題が生じるとともに、使用中の幼児側から開放されたブース出入口が見えることから落ち着いて用をたすことができないという問題がある。
そこで本発明は、扉を必要とせずかつ、通常の視線では使用中の姿を視認することができない空間を幼児用のトイレブースで実現することを課題とし、幼児のプライバシーを保護するとともに、必用時には保母などの管理者が必要時に簡単にブース内を確認できる幼児用トイレブースを得ることを目的とする。
【課題を解決するための手段】
【０００５】
本発明は上記課題を考慮してなされたもので、便器を配した空間の四方に壁体を配置したトイレブースであって、ブース出入口はブース周囲から前記便器側への便器方向を出入口間口方向とし、ブース出入口を間にして対向するブース出入口側の壁体それぞれを出入口間口方向と交差する方向に延長して、互い違い状に配置されたブース出入口側の壁体により、ブース周囲からブース出入口を介した便器方向への目視を不能にする遮蔽部を形成し、かつ、ブース出入口を扉などの閉鎖物が位置しない非閉鎖状態に形成したことを特徴とする幼児用トイレブースを提供して、上記課題を解消するものである。
そしてこの発明において上記壁体の一部もしくは全部の高さが、３００ｍｍ以上３０００ｍｍ以下とすることが可能でありまた、上記ブース出入口の間口方向の間隔が、１００ｍｍ以上１５００ｍｍ以下とすることが可能である。
【０００６】
また、もう一つの発明は、上記幼児用トイレブースを並設し、トイレブース間に位置する壁体を、該壁体の両側のトイレブースが共有することを特徴とする幼児用トイレ施設であり、この幼児用トイレ施設を提供して上記課題を解消するものである。
【発明の効果】
【０００７】
本発明にあっては、扉の取付けが無いにも拘わらず、幼児のトイレ使用中の姿を不特定多数の人達は通常の視線において自由に視認することはできず、幼児のプライバシーを保護することができる。
そして、壁体の少なくとも一部の高さを、監督者が上部より覗いたりするのに都合の良い高さに設定することで、内部の状況把握が容易にできるようになる。また、壁体が通常の大人用トイレブースにおける壁体の高さであると幼児は息苦しさを感じるが、壁体の高さを下げた本発明により開放感を持ち安心できて、用をたすことができるようになる。
また、本発明でのトイレブースの出入口の間隔を１００ｍｍ以上１５００ｍｍ以下に設定することで、健常者は勿論の事、車椅子を使用する場合であってもトイレブース内において楽に操作でき、簡単に方向転換することが可能となる。
【０００８】
本発明の幼児用トイレ施設では、トイレブースの数を特に定める必要は無く、奇数や偶数の違ったデザインおよび使い勝手による幅広いニーズに応えることができる。そして、間の壁体を共有することで、複数のトイレブースの並びをコンパクトなものとすることができる。
【発明を実施するための最良の形態】
【０００９】
以下、本発明の実施の形態を添付図面に従って説明する。
図１は幼児用トイレブースの一例を示す平面図である。符号１に示すものは幼児用トイレブースであり、符号２に示すものは便器である。躯体壁や間仕切り壁からなる壁体３を便器２の周りに配置することで前記幼児用トイレブース１が構成されていて、図示するようにこの幼児用トイレブース１では壁体３を対向配置させることでブース出入口４が設けられており、このブース出入口４は扉を取り付けない非閉鎖状態にして形成されている。
【００１０】
上記幼児用トイレブース１の壁体３それぞれは、相互の連結部分が図示しない必要数の固着手段を用いて連結され、さらに間仕切り壁タイプの壁体３にあっては、アンカーボルトなどの図示しない強固な固着手段を用いて床面に立設されている。
【００１１】
幼児用トイレブース１のブース出入口４においては、図示されているようにブース周囲から便器２側への便器方向Ａを出入口間口方向としており、このブース出入口４を間にして対向するブース出入口４側の壁体３それぞれは、出入口間口方向と交差する方向に延長している。このため、ブース出入口４側の壁体３は互い違い状に配置されていて、このブース出入口４側の対の壁体３により、ブース周囲からブース出入口４を介した便器方向Ａへの目視を不能にする遮蔽部５が形成されている。即ち、図２に示すように、幼児用トイレブース１をそのブース出入口４がある正面側から見た場合には、幼児用トイレブース１の内側を見ることができないように設けられており、トイレを使用中の幼児のプライバシーを保護している。また、使用中の幼児からもそのブース出入口４から外部が見えない状態となっており、落ち着いて用をたすことができる。
また、壁体３の一部もしくは全部の高さ６は３００ｍｍ〜３０００ｍｍに設定されていてブース天面が開放されており、使用中の幼児に圧迫感を生じさせないようにしている。壁体３の高さ６は前述のように３００ｍｍ〜３０００ｍｍであればよいが、好ましくは５００ｍｍ〜２０００ｍｍ、より好ましくは１０００ｍｍ〜１２００ｍｍの範囲とする。
なお、必要に応じて幼児用トイレブース１の周囲の床面の高さ設定により監視者がブース内の様子を簡単に見ることができるようにする。
【００１２】
また、上記ブース出入口４は、その間隔７を１００ｍｍ〜１５００ｍｍの範囲にすることが可能であり、好ましくは３００ｍｍ〜９００ｍｍ、より好ましくは４００ｍｍ〜５００ｍｍの範囲とする。なお、車椅子を使用した幼児がいる場合には車椅子に乗ったままブース出入口４を支障無く楽に通ることができる間口寸法とすればよい。
【００１３】
上記実施の形態では、ブース背面側を躯体壁とし他面をパネルタイプの間仕切り壁とした壁体３を用い、そして、ブース出入口４側の壁体３にあっては断面弧状の曲面を呈した形態としているが、本発明の幼児用トイレブース１はこれに限定されず、図３に示すようにブース背面とブース側面との二方を躯体壁、他を間仕切り壁としてもよく、そして、ブース出入口４側の壁体３それぞれも平板状の形態とすることができる。
【００１４】
図４は上記幼児用トイレブース１を二つ並設してなる本発明の幼児用トイレ施設８の一例を示している。そして、この幼児用トイレ施設８にあっては、隣合う幼児用トイレブース１の間に位置する壁体３を、その隣合う二つの幼児用トイレブース１が共有する構成としている。このように幼児用トイレ施設８は間の壁体３をその壁体３の両側の幼児用トイレブース１が共有するため、全体としてコンパクトにすることができ、トイレ室の室内空間に対してこの幼児用トイレ施設８が占める割合を下げて、トイレ室の室内の有効利用する設計が図れる。
この幼児用トイレ施設８は二つの幼児用トイレブース１の並設形態に限定されるものではなく、三つ以上の幼児用トイレブース１が並設されるものであってもよく、さらに並設する方向は図示の形態に限定されない。
【図面の簡単な説明】
【００１５】
【図１】本発明による幼児用トイレブースの一例を平面で示す説明図である。
【図２】一例におけるブース出入口側を示す説明図である。
【図３】他の例を平面で示す説明図である。
【図４】幼児用トイレ施設の一例を平面で示す説明図である。
【符号の説明】
【００１６】
１…幼児用トイレブース
２…便器
３…壁体
４…ブース出入口
５…遮蔽部
６…高さ
７…間隔
８…幼児用トイレ施設
Ａ…便器方向
【図１】
2005200889.tif 000003
【図２】
2005200889.tif 000004
【図３】
2005200889.tif 000005
【図４】
2005200889.tif 000006